(57)【要約】【課題】この考案の目的は、複数枚のレンズを積み重ねて搬送したり、保管した場合であってもレンズの表裏面に擦り傷が付く恐れが無いレンズを提供することにある。【解決手段】眼鏡のリムにカットして取り付けられるレンズであって、このレンズはカットされて不要となる部位の少なくとも３ヵ所に突起を配設し、レンズを積み重ねた場合に互いに擦れて傷が付くのを防止するようにした。【選択図】　　　　図１
0003100109.tif 000002
【実用新案登録請求の範囲】
【請求項１】
カットして眼鏡のリムに嵌め込まれるレンズであって、該レンズのうちのカットして不要となる部位の少なくとも３ヵ所に突起を配設したことを特徴とするレンズ。
【請求項２】
前記レンズはアクリル等の樹脂製であり、このレンズを成形する時に前記突起を一体に形成する請求項１記載のレンズ。
【請求項３】
前記一体に形成される突起は、その先端部が丸くなっている請求項１記載のレンズ。
【請求項４】
複数の前記レンズを積み重ねた時に互いに隣接するレンズ間は突起を介して当接する請求項１記載のレンズ。
【考案の詳細な説明】
【０００１】
【考案の属する技術分野】
この考案はレンズに関し、特に、複数枚を重ねても擦り傷がつき難いようにしたレンズに関するものである。
【０００２】
【従来技術およびその問題点】
従来、販売等のために展示してある眼鏡には、レンズが取り付けられた状態となっている。このようなレンズはアクリル等の樹脂製のものが大部分である。
【０００３】
上記のようなレンズを搬送する場合、特に展示用に使用されるレンズはダミーレンズと言われて、複数枚のものを積み重ねた状態で、あるいは隣接した状態で搬送するのが搬送効率上有効であり一般的になっている。
【０００４】
そして、展示用の眼鏡にレンズを取り付ける作業においては複数枚積み重ねて、あるいは隣接して搬送された後に保管しておいたものから順次取り出して眼鏡に取り付けるようにしている。
【０００５】
前記レンズは眼鏡のリムに嵌め込んでおくものなので、眼鏡自体のデザインに応じて低カーブのものから高カーブのものまで種々のカーブのものがある。
【０００６】
上記のように展示用の眼鏡のリムに取り付ける以前のレンズは、複数枚積み重ねて、あるいは隣接して搬送するとともに、そのままの状態、すなわち積み重ねて、あるいは隣接した状態で保管しておくために、隣接するレンズの表裏面間が擦れて擦り傷が付く場合が多く、一旦擦り傷が付いてしまった場合には眼鏡には使用することができず、無駄になってしまうという問題点を有していた。
【０００７】
特に、低カーブのレンズにあっては、隣接する他のレンズと表裏面がほぼ全面に渡って接触するので擦り傷が付いてしまう恐れが多いという問題点を有していた。
【０００８】
この考案の目的は、アクリル等の樹脂製、あるいはその他の材質のレンズを積み重ねても、あるいは隣接しておいても擦り傷が付かないようにしたレンズを提供することにある。
この考案の他の目的は、レンズのカーブの高低に関わらず積み重ねて、あるいは隣接しておいても擦り傷が付く恐れがないレンズを提供することにある。
【０００９】
【問題点を解決するための手段】
上記の問題点を解決するためにこの考案は、カットして眼鏡のリムに嵌め込まれるレンズであって、このレンズのうちのカットして不要となる部位の少なくとも３ヵ所に突起を配設した手段を採用したものである。そして、前記レンズはアクリル等の樹脂製であり、このレンズを成形する時に前記突起を一体に形成し、また、前記一体に形成される突起は、その先端部が丸くなっている。そして、複数の前記レンズを積み重ねた時に互いに隣接するレンズ間は突起を介して当接する手段を採用したものである。
【００１０】
【作用】
この考案は前記の構成を有しているので、複数枚積み重ねた状態で、あるいは隣接した状態で搬送されて保管されているレンズの表裏面は、互いに隣接するレンズに設けた突起によって全面的に接触することはなく、突起でのみ接触することになる。これにより、レンズの表裏面に擦り傷が発生する恐れはまったく無いことになる。
【００１１】
【考案の実施の形態】
以下、この考案の実施の形態について説明する。図１はこの考案によるレンズの概略図、図２は複数枚のレンズを重ねて保管した状態を示す概略図である。
【００１２】
図１にはこの考案によるレンズ（以下展示用の眼鏡に使用するダミーレンズの場合について説明する。）が示されていて、このダミーレンズ１はアクリル等の樹脂製であって中央部に至って順次湾曲している円盤状をなすとともに、裏面の周面部の３ヵ所に突起２、２、２が突設されている。
この突起２は、この実施の形態においては３ヵ所であり、しかも、ダミーレンズ１のうちのカットして眼鏡のリムに嵌め込んで使用する部位以外の周面部の位置に設けられていて、先端部が丸くなっている。
【００１３】
上記のように眼鏡のリムに嵌め込んで使用する部位以外の周面部の位置に突起２、２、２を製造する手段としては、アクリル等の樹脂製のダミーレンズ１を成形する時に同時成形してダミーレンズ１と突起２、２、２とを一体に形成する。
【００１４】
図２には上記のように構成されているダミーレンズ１を搬送あるいは保管しておく時に複数枚１ａ、１ｂ、１ｃを積み重ねた状態が示されている。
【００１５】
図２に示すように、各ダミーレンズ１ａ、１ｂ、１ｃの裏面には、周面部の３ヵ所に突起２、２、２が一体に形成されているので、一のダミーレンズ１ｂの裏面側に位置する他のダミーレンズ１ｃは、一のダミーレンズ１ｂの裏面に突設した突起２、２、２が他のダミーレンズ１ｃの表面と当接し、したがって、従来のように両ダミーレンズ１ｂ、１ｃが全面で接触することがないので擦り傷が付くのが防止できる。
【００１６】
また、一のダミーレンズ１ｂの表面は、一のダミーレンズ１ｂの表面側に位置するさらに他のダミーレンズ１ａの裏面に設けた突起２、２、２と当接し、したがって、従来のように両ダミーレンズ１ａ、１ｂが全面で接触することがないので擦り傷が付くのが防止できる。
【００１７】
このようにして、順次隣接するダミーレンズ１ａ、１ｂ、１ｃ……は、他のダミーレンズ１ａ、１ｂ、１ｃ……と直接に接触することなく、突起２、２、２を介して当接する。
これにより、すべてのダミーレンズ１ａ、１ｂ、１ｃ……の表裏面に擦り傷が生じるのを防止することができる。
【００１８】
このような状態は搬送時および保管時に渡って保たれているのですべてのダミーレンズ１ａ、１ｂ、１ｃ……の表裏面に擦り傷が生じるのを防止することがでる。
【００１９】
なお、前記実施の形態においては、アクリル等の樹脂製のダミーレンズ１について説明したが、これに限定することなく、通常の樹脂製のレンズであっても良く、また、樹脂製でなくても良いものである。また、他のレンズと直接に接触するのを防止するための突起は３ヵ所にしたが、これに限定することなく、３ヵ所以上であれば良く、要は、隣接するレンズが互いに突起を介して接触するようにすれば良いものである。さらに、突起の位置は、眼鏡のリムに取り付けるためにカットするが、カットされて不要になる部位に設けられていれば良いものである。
【００２０】
【考案の効果】
この考案は前記のように構成したので、複数枚を積み重ねて、あるいは隣接して搬送したり、あるいは保管しておいたとしてもレンズの表裏面に擦り傷が付く恐れがなく、特に、低カーブのものであって、表裏面が全面に渡って隣接するものと接触する恐れがあるのものであっても突起の作用によって表裏面に傷が付くのを確実に防止することができるという効果を有している。
【図面の簡単な説明】
【図１】この考案によるレンズの概略図である。
【図２】複数枚のレンズを積み重ねた場合を示す概略図である。
【符号の説明】
１、１ａ、１ｂ、１ｃ……レンズ（ダミーレンズ）
２……突起
【図１】
0003100109.tif 000003
【図２】
0003100109.tif 000004